(57)【要約】【課題】部品点数が少なく構造の簡素化された塗布容器を提案する。【解決手段】液状物を充填する容器本体（１）と、この容器本体（１）の液状物を排出する注出口（ｔ）を有し該注出口（ｔ）より排出された液状物を塗布する塗布部材（２）とを備えた塗布容器において、前記塗布部材（２）を、容器本体（１）の口部（１ａ）に保持され容器の内外に通じる通路（ｓ）を有する中栓（２ａ）と、この中栓（２ａ）の先端に一体的に設けられ該通路（ｓ）につながる注出口（ｔ）を有するノズル（２ｂ）と、中栓（２ａ）の通路（ｓ））内に配置され該通路（ｓ）の末端からノズル（２ｂ）に至るまでの間にて往復移動可能でかつ、該通路（ｓ）の末端及びノズル（２ｂ）の底部に位置して該通路（ｓ）をそれぞれ閉塞するボール（２ｃ）と、前記ノズル（２ｂ）を取り囲んで中栓（２ａ）に固定保持されその頭部でもってノズル（２ｂ）の注出口（ｔ）より排出された液状物を塗り込む複数本の塗布体（２ｄ）とにて構成する。【選択図】図２
2005306403.tif 000002
【特許請求の範囲】
【請求項１】
液状物を充填する容器本体と、この容器本体の液状物を排出する注出口を有し該注出口より排出された液状物を塗布する塗布部材とを備えた塗布容器であって、
前記塗布部材は、容器本体の口部に保持され容器の内外に通じる通路を有する中栓と、この中栓の先端に一体的に設けられ該通路につながる注出口を有するノズルと、中栓の通路内に配置され該通路の末端からノズルに至るまでの間にて往復移動可能でかつ、該通路の末端及びノズルの底部に位置してそれぞれ該通路を閉塞するボールと、前記ノズルを取り囲んで中栓に固定保持されその頭部でもってノズルの注出口より排出された液状物を塗り込む複数本の塗布体とからなることを特徴とする液状物の塗布容器。
【請求項２】
前記塗布体は、その基部をアンダーカットによって中栓に係合させて固定保持したものである、請求項１記載の液状物の塗布容器。
【請求項３】
前記塗布体は、インサート成形によって中栓に固定保持したものである請求項１記載の液状物の塗布容器。
【請求項４】
前記塗布体は、その基部を中栓の溝部に差し込んで固定保持したものである請求項１記載の液状物の塗布容器。
【請求項５】
液状物が、アルコールを５０mass％以上含む頭皮用組成物である請求項１〜４の何れかに記載の液状物の塗布容器。
【発明の詳細な説明】
【技術分野】
【０００１】
本発明は、育毛剤等を液状物として充填し、この液状物を注出すると同時に塗り込むのに便利な塗布容器に関し、該容器の構造の簡素化を図ろうとするものである。
【背景技術】
【０００２】
育毛剤を入れるのに使用される容器は、ノズルの先端にコイルばねによって附勢された塗布部材を配置し、該塗布部材を頭皮に押しつけることでノズルを開放する同時に注出された液状物を頭皮に擦り込む構造のものが知られている（例えば、特許文献１参照）。
【０００３】
【特許文献１】特開平１１−１５７５８２号公報
【０００４】
ところで、従来の塗布容器では、サイズの小さな部品を組み入れる煩雑な作業工程が必要であるうえ、組立体が規定通りに作動するかどうかのチエックも付加されることから効率的な組立が行えることが望まれており、その改良が求められていた。
【発明の開示】
【発明が解決しようとする課題】
【０００５】
本発明の課題は、構造の簡素化、組立効率の改善を図ることができる新規な塗布容器を提案するところにある。
【課題を解決するための手段】
【０００６】
本発明は、液状物を充填する容器本体と、この容器本体の液状物を排出する注出口を有し該注出口より排出された液状物を塗布する塗布部材とを備えた塗布容器であって、
前記塗布部材は、容器本体の口部に保持され容器の内外に通じる通路を有する中栓と、この中栓の先端に一体的に設けられ該通路につながる注出口を有するノズルと、中栓の通路内に配置され該通路の末端からノズルに至るまでの間にて往復移動可能でかつ、該通路の末端及びノズルの底部に位置して該通路をそれぞれ閉塞するボールと、前記ノズルを取り囲んで中栓に固定保持されその頭部でもってノズルの注出口より排出された液状物を塗り込む複数本の塗布体とからなることを特徴とする液状物の塗布容器である。
【０００７】
上記の構成になる塗布容器において、前記塗布体は、その基部をアンダーカットによって中栓に係合させて固定保持することができる。
【０００８】
また、前記塗布体は、インサート成形によって中栓に固定保持することができるが、この他、塗布体の基部に予め先端が先細りになる楔状の突起を設けておき、この突起を中栓に形成してある溝部に差し込んで固定保持するようにしてもよい。
【０００９】
液状物は、アルコールを５０mass％以上含んだ頭皮用組成物とするのが好ましい。
【発明の効果】
【００１０】
中栓の通路内にボールを入れ込み容器の口部に装着するだけで簡単に組立られ作業の効率化が可能になる。
【００１１】
以下、図面を用いて本発明をより具体的に説明する。
図１、図２は本発明にしたがう塗布容器の実施の形態を示したものであり、図１は外観斜視図であり、図２は要部の断面を拡大して示した図である。
【００１２】
図における１は液状物を充填する容器本体、２は容器本体１の口部１ａにアンダーカット係合して固定保持する例で示した塗布部材である。
【００１３】
塗布部材２は、図２に示すように容器本体１の口部１ａに保持され容器の内外に通じる通路ｓを有する中栓２ａと、この中栓２ａの先端に一体的に設けられ通路ｓにつながる注出口ｔを有するノズル２ｂと、中栓２ａの通路ｓ内に配置され該通路ｓの末端（図中最下端）からノズル２ｂに至るまでの間にて往復移動可能でかつ、通路ｓの末端及びノズル２ｂの底部に位置して該通路ｓをそれぞれ閉塞するボール２ｃと、ノズル２ｂを取り囲んで中栓２ａに固定保持されその頭部でもってノズル２ｂから排出された液状物を塗り込む塗布体２ｄからなる。
【００１４】
容器を起立させた状態では、ボール２ｃは通路ｓの末端に位置して座部ｈを介して該通路ｓを閉塞しているが、容器を反転（ノズルを下側に向ける）してボール２ｃがノズル２ｂの底部（座部ｈ１）に衝突するまでの間で容器内の液状物が通路ｓに入り込むことで通路ｓ内の液状物をノズル２ｂの注出口ｔから排出することができる。
【００１５】
容器を反転させて塗布部材２で塗布箇所を叩くようにすると中栓２ａの通路ｓ内でボール２ｃが上下に往復移動し、座部ｈ、ｈ１が交互に開閉するようになり液状物の適量注出が可能になる。なお、このような容器の反転使用時においては、注出完了時点で座部ｈ１にボール２ｃが着座した閉状態となり、不用意な液漏れの発生を防止している。
【００１６】
ボール２ｃは液状物に直接接触しながら通路ｓ内を移動するため、該液状物の粘度に影響されない程度の重量が必要であり、耐薬品性に優れた材質を選択することがとくに好ましい。
【００１７】
上記のような容器の交互の反転を繰り返すとボール２ｃは通路ｓの末端及びノズル２ｂの底部（座部ｈ、ｈ１）での衝突により音が発生されるとともにその際の衝撃力で塗布体２ｄが振動し、マッサージ効果が得られる。
【００１８】
塗布体２ｄは頭皮等に接触させて液状物を塗り込むことができるものであり、エラストマー等の軟質部材にて構成することができるが、とくに材質については限定されない。
【００１９】
塗布体２ｄを中栓２ａに固定保持するには、図２に示した如くその基部をアンダーカットｃによって嵌合させる。
【００２０】
図３は塗布体２ｄの基部の内側壁部でアンダーカットｃによって中栓２ａに固定保持した例を示したものである。アンダーカットｃによる嵌合部位は塗布体２ｄの外側部位のみならず内側壁部でもよく塗布体２ｄを中栓２ａに安定的に固定保持できれば嵌合箇所は任意に選択できる。
【００２１】
図４、図５は塗布体２ｄの他の固定例を示した図である。
図４はインサート成形によって中栓２ａに固定保持した構造のものであり、図５は塗布体２ｄの基部底面に先端が先細りになる楔状の突起３を設けて、この突起３を中栓２ａの上面に設けた溝部２ａ１に差し込んで固定保持した構造のものである。塗布体２ｄを中栓２ａに確実に固定できるものではれば図４、図５に示したような構造のものでもよく、固定形式はとくに限定されない。
【００２２】
上掲図１〜５に示した塗布容器において塗布部材２の塗布体２ｄについては棒状体のものを例として示したが、図６に示すようなブラシ状体とすることもできる。このようなブラシ状の塗布体２ｄを設けたものでは、衣類や靴等の部分的な洗浄を行う液状物を塗布する際の容器に適用可能であり、塗布体２ｄを衣類等に激しく擦りつけても、ボール２ｃによる通路ｓの適切な開閉が行われ液状物が出過ぎることもない。
【００２３】
本発明の容器に充填できる液状物としては具体的に以下のような頭皮用組成物を挙げることができる。
【００２４】
モノペンタデカン酸グリセリド：３mass％（以下、単に％で示す。）、
酢酸ＤＬ−α−トコフェロール：０．１％、
ヤシ油脂肪酸ソルビタエン：１％、
ショ糖ミリスチン酸エステル：０．５％、
ビオチン：０．００２％、
コハク酸：０．３％、
センブリエキス：１％、
ヒノキチオール：０．１％、
Ｌ−メントール：０．３％、
香料：適量、
で残部が９９．５％エタノールからなる養毛剤。
【００２５】
モノペンタンデカン酸グリセリド：２％、
ＰＯＥ（８モル）オレイルアルコールエーテル：１．５％、
グリセリン：３％、
Ｌ−メントール：０．１％、
ヒノキチオール：０．３％、
メチルパラベン：０．１％、
香料：０．３％、
９９．５％エタノール：７０％、
で残部が精製水からなる育毛トニック。
【００２６】
モノペンタデカン酸グリセリド：１％、
天然ビタミンＥ：０．５％、
ショ糖ミリスチン酸エステル：０．５％、
ＰＯＥ（４０）硬化ひまし油：０．５％、
クエン酸：０．１％、
Ｌ−メントール：０．１％、
香料：適量、
で残部が９９．５％エタノールからなる育毛ヘアローション。
【００２７】
モノペンタデカン酸グリセリド：２％、
ラウリン酸ソルビタン：０．５％、
酢酸ＤＬ−α−トコフェロール：０．５％、
オリーブ油：１％、
ヒキオコシエキス：１％、
コハク酸：０．２％、
香料：適量、
で残部が８０％エタノールからなる育毛ヘアローション。
【００２８】
モノペンタデカン酸グリセリド：２．５％、
酢酸ＤＬ−α−トコフェロール：０．２％、
モノミリスチン酸ペンタグリセリン：１％、
ラウリン酸ソルビタン：０．５％、
Ｌ−メントール：０．０５％、
ニコチン酸ペンジル：０．００１％、
メチルパラベン：０．０５％、
香料：適量、
で残部９５％エタノールからなる育毛料。
【００２９】
モノペンタデカン酸グリセリド：１％、
グリチルレチン酸ステアリル：０．２％、
ショ糖ラウリン酸エステル：０．５％、
ジラウリン酸ヘキサグリセリン：０．５％、
ＰＯＰ（５）ブチルエーテル：２０％、  
ラノリン：１％、  
カルボキシビニルポリマー：０．８％、
オキシベンゾン：０．１％、
メチルパラベン：０．１％、
トリイソプロパノールアミン：適量、
香料：適量、
で残部が９５％エタノールからなる育毛ヘアリキッド。
【００３０】
なお、容器に充填される内容物は前述の頭皮用組成物の具体例に限られるものではなく、その組成を適宜に組み合わせた他の組成物を充填することも可能である。
【産業上の利用可能性】
【００３１】
本発明によれば、構造が簡素化され、しかも、容器の反転使用時でも液垂れのしない使い勝手のよい塗布容器を提供できる。
【図面の簡単な説明】
【００３２】
【図１】本発明にしたがう塗布容器の実施の形態を示した図である。
【図２】図１の要部の断面を拡大して示した図である。
【図３】本発明の他の実施の形態を示した図である。
【図４】本発明の他の実施の形態を示した図である。
【図５】本発明の他の実施の形態を示した図である。
【図６】本発明の他の実施の形態を示した図である。
【符号の説明】
【００３３】
１  容器本体
１ａ  口部
２  塗布部材
２ａ  中栓
２ｂ  ノズル
２ｃ  ボール
２ｄ  塗布体
３  突起
ｓ  通路
ｔ  注出口
ｈ  座部
ｈ１  座部
【図１】
2005306403.tif 000003
【図２】
2005306403.tif 000004
【図３】
2005306403.tif 000005
【図４】
2005306403.tif 000006
【図５】
2005306403.tif 000007
【図６】
2005306403.tif 000008